【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
記録媒体に記録される少なくともマルチ再生パスビデオデータの再生を管理するためのデータ構造を有する記録媒体において、
前記マルチ再生パスビデオデータの少なくとも一部を格納するデータ領域を含んで構成されていて、ここで
該マルチ再生パスビデオデータは１つまたは複数のインターリービングユニットに分割されており、各該インターリービングユニットは再生パス中のいずれか１つと関連付けられており、各該インターリービングユニットは再生パス変更点で開始・終了して、かつ異なる再生パスと関連付けられたインターリービングユニットが前記データ領域でインターリービングされることを特徴とする記録媒体。
【請求項２】
前記マルチ再生パスビデオデータは複数のクリップファイルに分割されていて、各該クリップファイルには前記マルチ再生パス中のいずれか１つと関連付けられているビデオデータが含まれており、各該クリップファイルは１つまたは複数のインターリービングユニットに分割されていることを特徴とする請求項１に記載の記録媒体。
【請求項３】
各前記インターリービングユニット内のビデオデータは１つまたは複数のエントリーポイントに分割されていることを特徴とする請求項１に記載の記録媒体。
【請求項４】
管理情報を格納する管理領域をさらに含んで構成されていて、ここで
該管理情報には各再生パスと関連付けられている少なくとも１つ以上のエントリーポイントマップが含まれていて、各エントリーポイントマップは前記関連付けられている再生パスに対するビデオデータ内のエントリーポイントを識別することを特徴とする請求項３に記載の記録媒体。
【請求項５】
管理情報を格納する管理領域をさらに含んで構成されていて、ここで
該管理情報には各クリップファイルと関連付けられている少なくとも１つ以上のエントリーポイントマップが含まれていて、各エントリーポイントマップは前記クリップファイル内のエントリーポイントを識別することを特徴とする請求項２に記載の記録媒体。
【請求項６】
各エントリーポイントマップは識別されたエントリーポイントのうちのどれがインターリーブされたユニット内の最終エントリーポイントであるかを指し示すことを特徴とする請求項４または５に記載の記録媒体。
【請求項７】
各エントリーポイントマップは識別されたエントリーポイントのうちのどれがインターリーブされたユニット内の１番目のエントリーポイントであるかを指し示すことを特徴とする請求項４または５に記載の記録媒体。
【請求項８】
前記エントリーポイントマップは時間的整合されることを特徴とする請求項４または５に記載の記録媒体。
【請求項９】
記録媒体に記録される少なくともマルチ再生パスビデオデータの再生を管理するためのデータ構造を有する記録媒体において、
複数のクリップファイルを格納するデータ領域を含んで構成されていて、ここで
各前記クリップファイルにはマルチ再生パス中のいずれか１つと関連付けられているビデオデータが含まれていて、各該クリップファイルはビデオデータのエントリーポイントに分割されていて、各該クリップファイル内のエントリーポイントは１つまたは複数のインターリービングユニットでグルーピングされ、複数のクリップファイルは前記データ領域にインターリービングユニットを基にしてインターリービングされることを特徴とする記録媒体。
【請求項１０】
少なくとも１つ以上のクリップファイル内の各インターリーブされたユニットには同じ個数のエントリーポイントが含まれていることを特徴とする請求項３または９に記載の記録媒体。
【請求項１１】
少なくとも１つ以上のクリップファイル内の少なくとも２つ以上のインターリーブされたユニットには異なる個数のエントリーポイントが含まれていることを特徴とする請求項３または９に記載の記録媒体。
【請求項１２】
記録媒体に記録される少なくともマルチ再生パスビデオデータの再生を管理するためのデータ構造を有する記録媒体において、
マルチ再生パスビデオデータの少なくとも一部を格納するデータ領域を含んで構成されていて、ここで
前記マルチ再生パスビデオデータは１つまたは複数のインターリービングユニットに分割されていて、各該インターリービングユニットは前記再生パス中のいずれか１つと関連付けられていて、各該インターリービングユニットは複数のエントリーポイントで構成されていて、異なる再生パスと関連付けられているインターリービングユニットが前記データ領域でインターリービングされることを特徴とする記録媒体。
【請求項１３】
前記エントリーポイントの個数は、少なくとも同じ再生パスと関連付けられているインターリービングユニットに対して固定されていることを特徴とする請求項１２に記載の記録媒体。
【請求項１４】
前記エントリーポイントの個数は、少なくとも同じ再生パスと関連付けられているインターリービングユニットに対して可変であることを特徴とする請求項１２に記載の記録媒体。
【請求項１５】
少なくともマルチ再生パスビデオデータの再生を管理するためのデータ構造を記録媒体に記録する方法において、
前記マルチ再生パスビデオデータの少なくとも一部を前記記録媒体のデータ領域に記録することを含み、ここで
前記マルチ再生パスビデオデータは１つまたは複数のインターリービングユニットに分割され、各該インターリービングユニットは前記再生パス中のいずれか１つと関連付けられ、各該インターリービングユニットは再生パス変更点で開始・終了し、異なる再生パスと関連付けられているインターリービングユニットが前記データ領域でインターリービングされることを特徴とする方法。
【請求項１６】
記録媒体に記録された少なくともマルチ再生パスビデオデータの再生を管理するためのデータ構造を再生する方法において、
前記マルチ再生パスビデオデータの少なくとも一部を前記記録媒体のデータ領域から再生することを含み、ここで
前記マルチ再生パスビデオデータは１つまたは複数のインターリービングユニットに分割され、各該インターリービングユニットは前記再生パス中のいずれか１つと関連付けられ、各該インターリービングユニットは再生パス変更点で開始・終了し、異なる再生パスと関連付けられているインターリービングユニットが前記データ領域でインターリービングされることを特徴とする方法。
【請求項１７】
少なくともマルチ再生パスビデオデータの再生を管理するためのデータ構造を記録媒体に記録する装置において、
前記記録媒体にデータを記録する光記録手段を駆動するドライバー；
少なくともマルチ再生パスビデオデータをエンコーディングするためのエンコーダー；及び
前記エンコーディングされたマルチ再生パスビデオデータを前記記録媒体に記録し、該マルチ再生パスビデオデータの少なくとも一部を前記記録媒体のデータ領域に記録するように、前記ドライバーを制御する制御装置を含んで構成されていて、ここで
前記マルチ再生パスビデオデータは１つまたは複数のインターリービングユニットに分割され、各該インターリービングユニットは前記再生パス中のいずれか１つと関連付けられ、各該インターリービングユニットは再生パス変更点で開始・終了し、異なる再生パスと関連付けられているインターリービングユニットが前記データ領域でインターリービングされることを特徴とする装置。
【請求項１８】
記録媒体に記録された少なくともマルチ再生パスビデオデータの再生を管理するためのデータ構造を再生する装置において、
前記記録媒体に記録されたデータを再生する光再生手段を駆動するドライバー；及び
前記マルチ再生パスビデオデータの少なくとも一部を前記記録媒体のデータ領域から再生するように前記ドライバーを制御する制御装置を含んで構成されていて、ここで
前記マルチ再生パスビデオデータは１つまたは複数のインターリービングユニットに分割され、各該インターリービングユニットは前記再生パス中のいずれか１つと関連付けられ、各該インターリービングユニットは再生パス変更点で開始・終了し、異なる再生パスと関連付けられているインターリービングユニットが前記データ領域でインターリービングされることを特徴とする装置。